(57)【要約】【課題】繰り返し貼着、剥離可能であるとともに、その場でカレンダー用紙に直接書き込み可能あるいはカレンダー用紙を取り出して書き込み可能なカレンダーの提供。【解決手段】日付と書き込みスペースが設けられたカレンダー用紙２が折り曲げられて袋１に挿入されて支持され、表示月ページ９が袋１の表側面に重ねられ、貼着面に繰り返し貼着剥離可能なカレンダーであって、袋１は重ねられたシートの三辺がシールされるとともに、残りの一辺にカレンダー用紙２を挿入するための挿入口が形成され、袋の表側面には表側面に重ねられたカレンダー用紙の表示月ページ９を保持するカレンダー用紙保持部１０が形成され、袋１の裏側面には貼着面に繰り返し貼着剥離可能な貼着剥離層３が設けられ、貼着剥離層３は、袋の貼着面に対向する側の面に強粘着糊層が貼着され、強粘着糊層に接着性を向上させる粗面を有する仕切シートを介して再剥離糊層が貼着され、再剥離糊層に剥離シートが積層されている。【選択図】図２
2012076405.tif 000002
【特許請求の範囲】
【請求項１】
日付と書き込みスペースが設けられた月を複数表示したカレンダー用紙と、カレンダー用紙を１月単位又は複数月単位で折り曲げた部分のうち、表示する月を除く月の部分をカレンダー用紙支持袋に挿入するとともに、前記表示する月をカレンダー用紙支持袋の表側面に重ねて支持する、貼着面に繰り返し貼着剥離可能なカレンダー用紙支持袋からなるカレンダーであって、
前記カレンダー用紙支持袋は三辺がシールされるとともに、残りの一辺が開放されて前記カレンダー用紙を挿入するためのカレンダー用紙挿入口が形成され、前記カレンダー用紙支持袋の裏側面には貼着面に繰り返し貼着剥離可能な貼着剥離層が設けられ、前記貼着剥離層は、カレンダー用紙支持袋の貼着面に対向する側の面に強粘着糊層が貼着され、前記強粘着糊層に接着性を向上させる粗面を有する仕切シートを介して再剥離糊層が貼着され、前記再剥離糊層に剥離シートが積層されていることを特徴とするカレンダー。
【請求項２】
前記カレンダー用紙支持袋の表側面に前記表側面に重ねられたカレンダー用紙を保持するカレンダー用紙保持部が形成されていることを特徴とする請求項１記載のカレンダー。
【請求項３】
前記カレンダー用紙保持部がカレンダー用紙支持袋の表側面に形成された接着剤層であることを特徴とする請求項２記載のカレンダー。
【請求項４】
前記カレンダー用紙保持部がカレンダー用紙支持袋の表側面に形成された、カレンダー用紙の半分の端が挿入されるポケットであることを特徴とする請求項２記載のカレンダー。
【請求項５】
前記カレンダー用紙保持部がカレンダー用紙支持袋の表側面に形成された、カレンダー用紙の半分の端が通されるバンドであることを特徴とする請求項２記載のカレンダー。
【発明の詳細な説明】
【技術分野】
【０００１】
本発明は、カレンダーに関し、特に壁、窓、扉、家具、ノートなどに繰り返し貼ったり剥がしたりできるとともに、カレンダー用紙に容易に書き込みができるカレンダーに関する。
【背景技術】
【０００２】
吊り下げ式カレンダーは、複数枚のカレンダー用紙が綴じ具で綴じられ、使用時には綴じ具に設けられた吊り下げ用孔にピンを通して壁に刺したりあるいは、吊り下げ用孔を壁に固定されたフックに掛けたりして吊り下げられる（特許文献１、２参照）。
【先行技術文献】
【特許文献】
【０００３】
【特許文献１】特開平１１−１２９６４６号公報
【特許文献２】特開２００２−１１３９７５号公報
【発明の概要】
【発明が解決しようとする課題】
【０００４】
前記特許文献１，２に見られるような従来の吊り下げ式カレンダーは、カレンダーの吊り下げのために吊り下げ用孔に通すピンやフックが必要であるが、カレンダーを吊り下げたい箇所が硬い壁やガラスではピンを刺せなかったり、逆に障子などは柔らかくてピンを保持できなかったり、あるいはフックを設けることができなかったりするため、吊り下げ箇所が制限されていた。
【０００５】
また、吊り下げ式カレンダーには書き込み可能になっているものもあるが、吊り下げ箇所が制約されるため、カレンダーに直接書き込みしにくい位置あるいは、書き込みできない箇所に吊り下げられている場合には、カレンダーを外して書き込むのに手間がかかるという煩わしさもある。
【０００６】
そこで、本発明は、いたる所に貼着、剥離可能且つ繰り返し貼着、剥離可能であるとともに、その場でカレンダー用紙に直接書き込み可能あるいはカレンダー用紙を取り出して書き込み可能なカレンダーを提供するものである。
【課題を解決するための手段】
【０００７】
本願発明は、日付と書き込みスペースが設けられた月を複数表示したカレンダー用紙と、カレンダー用紙を１月単位又は複数月単位で折り曲げた部分のうち、表示する月を除く月の部分をカレンダー用紙支持袋に挿入するとともに、前記表示する月をカレンダー用紙支持袋の表側面に重ねて支持する、貼着面に繰り返し貼着剥離可能なカレンダー用紙支持袋からなるカレンダーであって、前記カレンダー用紙支持袋は三辺がシールされるとともに、残りの一辺が開放されて前記カレンダー用紙を挿入するためのカレンダー用紙挿入口が形成され、前記カレンダー用紙支持袋の裏側面には貼着面に繰り返し貼着剥離可能な貼着剥離層が設けられ、前記貼着剥離層は、カレンダー用紙支持袋の貼着面に対向する側の面に強粘着糊層が貼着され、前記強粘着糊層に接着性を向上させる粗面を有する仕切シートを介して再剥離糊層が貼着され、前記再剥離糊層に剥離シートが積層されていることを特徴とする。
【０００８】
カレンダー用紙支持袋（以下「袋」という。）は、樹脂シートの三方をシールし、一方を開放してカレンダー用紙の半分が出し入れできるように用紙挿入口が形成される。樹脂シートは、シールのし易さなどから、ＰＰ、ＰＥあるいはＰＶＣなどのシートが適している。袋は、１年分のカレンダー用紙を収納できるようにするのが好ましい。なお、袋は、カレンダー用紙を収納できる袋であればよく、樹脂製でなく、紙製など他の材質で作製したものでも使用可能である。袋の表面は、袋内に収納したカレンダー用紙が外側から透視できるように、透明シートで作成したり、一部に透明部を形成したり、あるいは透明部の回りに色や模様を印刷してもよい。
【０００９】
袋の裏面には、壁や家具などの貼着面に繰り返し貼着剥離可能な貼着剥離層が設けられる。貼着剥離層は、例えば、強粘着糊層、仕切シート、再剥離糊層、剥離シートで形成される。袋を貼着する強粘着糊層は、袋を壁などの貼着面から剥離する際に、袋が強粘着糊層から剥離することのない強い粘着強度を有する強粘着糊、例えば、アクリル系共重合体などの強粘着糊を使用する。袋に再剥離糊層を直接貼着せずに、まず袋を強粘着糊層で貼着することにより、袋の再剥離糊層の貼着不能の不具合が解消されるとともに、袋の材質に限定されることなく再剥離糊層の適用が可能となる。
【００１０】
再剥離糊層は、強粘着糊層に直接重ねて設けようとすると、強粘着糊層と混合されて再剥離の機能が損なわれる。そのため、強粘着糊層と再剥離糊層とは仕切シートを介して積層する。
【００１１】
仕切シートは、紙シートあるいは樹脂フィルムを使用する。仕切シートの表面は再剥離糊層との接着性を向上させるため微細な凹凸により粗面を有する。樹脂シートはコロナ放電などの表面処理により微細な凹凸を形成して再剥離糊層との接着性を向上させて強固に接着する。紙は表面がザラザラした粗面である場合、特に表面処理することなく再剥離糊層を強固に接着可能である。この仕切シートにより、袋を貼着面から剥離する際に、再剥離糊層が仕切シートからは分離することなく、再剥離糊層は貼着面から容易に剥離可能となる。
【００１２】
再剥離糊は、粒状アクリル系重合体など市販されている公知の再剥離製粘着組成物を使用することができる。共重合体球体は１〜２５０μｍの平均粒径を有している。再剥離糊層により、ガラス、金属、木材、タイル、陶磁器、樹脂、紙などの平滑な表面に貼着でき、また平滑な曲面にも貼着できる。また、貼着面がふすま、障子などのような強度のない紙であっても、紙を破ることなく袋を貼着・剥離することができる。
【００１３】
袋の表側面に表示月ページを袋の表側に重ねて保持する場合、カレンダー用紙を袋の上から挿入して支持する場合は、表示月ページが重力で垂れてめくれるおそれが少ないので、表示月ページを押さえる必要はあまりない。但し、表示月ページを袋の横から挿入して支持する場合は表示月ページが不安定でめくれやすく、また、風がある所でもめくれるおそれがある。そこで、袋の表側面に、表示月ページを袋の表側に重ねた状態でめくれないように保持するため、カレンダー用紙保持部を形成してもよい。表示月ページを保持する保持部として、表示月ページの裏面を剥離可能に接着する接着剤層を設けたり、表示月ページの端を挿入して保持するポケットや表示月ページを通して上から押さえるバンドを設けたりする。
【００１４】
カレンダー用紙は、筆記具で筆記可能な素材の用紙を使用し、日付とともに書き込み用スペースが設けられる。
【００１５】
前記複数枚のカレンダー用紙には、日付と書き込みスペースが設けられた月が複数表示される。例えば、少なくとも１枚のカレンダー用紙の左右半分に２つの連続する月が逆向き方向に並んで表示され、半分のページを袋に挿入し、残りの半分のページを折り曲げて袋の表側に重ねて表示する。あるいは、複数月単位で多段に折り曲げた場合には、表示する月を除く他の月の部分を折り曲げて重ねて袋に挿入するとともに、前記表示する月をカレンダー用紙支持袋の表側面に重ねて支持してもよい。
【発明の効果】
【００１６】
本発明のカレンダーは、再剥離糊層により、ガラス、金属、木材、タイル、陶磁器、樹脂、紙などの平滑な表面に繰り返し貼着剥離できるので、机まわり、壁、冷蔵庫、ノート等、いたる所に貼ることができる。
【００１７】
また、本発明のカレンダーは、書き込みしやすい位置に貼ることができ、また、直接書き込みしにくい場合に貼着した場合は袋を剥離して筆記したり、あるいはカレンダー用紙を貼着した袋から取り出して書き込んだりできるので、用紙への書き込みを容易に行うことができる。
【００１８】
袋の表側に重ねられたカレンダー用紙の月表示ページは、接着剤層、ポケットあるいはバンドからなる保持部に保持されるので、カレンダー用紙がめくられるのを防止することができる。
【図面の簡単な説明】
【００１９】
【図１】本発明のカレンダーで用いるカレンダー用紙を挿入する袋を示し、（ａ）は袋の表側、（ｂ）は袋の裏側、（ｃ）は貼着剥離層の断面図である。
【図２】（ａ）は本発明に使用するカレンダー用紙の表示例を示し、（ｂ）はカレンダー用紙を袋に支持した状態を示す図である。
【図３】袋の表側にカレンダー用紙の表示月ページを接着剤層で固定した例を示す図である。
【図４】本発明のカレンダーを壁に貼着した状態を示す図である。
【図５】本発明のカレンダー用紙の表示月ページを固定用ポケットで固定した例を示す図である。
【図６】本発明のカレンダー用紙の表示月ページを押さえバンドで固定した例を示す図である。
【図７】本発明の多段に折り曲げた本発明のカレンダー用紙を示す図である。
【図８】本発明のカレンダー用紙を袋の上から挿入して支持した例を示す図である。
【発明を実施するための形態】
【００２０】
本発明の実施例について図面を参照しながら説明する。
【実施例１】
【００２１】
図１、図２において、袋１は、カレンダー用紙２を挿入するポリプロピレン製の透明シートからなり、袋１の裏面側に設けられた貼着剥離層３により構成される。袋１は重ねられたシートの一辺が開放されてカレンダー用紙挿入口４が形成され、残り三辺がシールされて矩形に形成され、カレンダー用紙挿入口４よりカレンダー用紙２を出し入れする。
【００２２】
壁などの貼着面に対向する、袋１の裏面側の全面には、壁などの貼着面に対して繰り返し貼着と剥離が可能な貼着剥離層３が設けられている。貼着剥離層３は、袋１に貼着するための強粘着糊層５（例えば、リンテック（株）製「ＰＷ糊」）に表面に紙シート６を介して再剥離糊層７（例えば、リンテック（株）製「リピール」）が積層されている。再剥離糊層７には剥離シート８が積層されており、剥離紙８は、図１（ｂ）に示すように、貼着時にめくって剥離して除き、再剥離糊層７を露出させる。
【００２３】
図１に示す実施例では、貼着剥離層３を裏面側の全面に設けているが、袋の大きさにより、帯状に間隔をおいて形成したり、枠状に形成したりしてもよく、貼着剥離層３の配置および大きさは適宜選択できる。
【００２４】
袋１の表側には、カレンダー用紙２を半分に折り曲げて表示月ページ９を袋１の表側に重ねた状態を維持するため、カレンダー用紙２を固定する手段として折り曲げたカレンダー用紙の裏面を剥離可能に接着する接着剤層１０を設ける。
【００２５】
カレンダー用紙２の月の表示は、例えば、図２に示すように、半分の表示月ページ９に表示月分（図２では６月）、残りの半分の前月ページ１１に前月分（図２では５月）を逆に表示する。カレンダー用紙２は、日付とともに書き込み用スペースが設けられる。カレンダー用紙２への表示は、裏面を利用したり、複数月を表示したりして適宜レイアウトすることができる。
【００２６】
図２（ｂ）、図３において、本発明のカレンダーは、カレンダー用紙２の前月ページ１１をカレンダー用紙挿入口４から挿入して収納した後、表示月ページ９を折り曲げて袋１の表側に重ね、表示月ページ９の裏面を接着剤層１０に接着して固定する。
【００２７】
次いで、剥離紙８を剥がし、図４に示すように、壁１２に貼着して掲示することができる。そして、貼着位置を変えたりして繰り返し貼着剥離できる。
【００２８】
カレンダー用紙２への書き込みは、カレンダー用紙２を袋にセットする前、あるいは、セット後、あるいは、セット後にカレンダー用紙２を袋１から取り出して行うことができる。
【実施例２】
【００２９】
図５において、表示月ページ９を折り曲げて袋１の表側に重ね、表示月ページ９の端をポケット１３に挿入して表示月ページ９を袋１の表側に保持する。
【実施例３】
【００３０】
図６において、表示月ページ９を折り曲げて袋１の表側に重ね、表示月ページ９の端をバンド１４に通して表示月ページ９を袋１の表側に保持する。
【実施例４】
【００３１】
図７において、カレンダー用紙２に複数月、例えば、半年分表示し、表示月ページ９を除く月の部分を多段に折り曲げて重ねて袋に挿入するとともに、前記表示する月を袋の表側面に重ねて支持する。多段に折り曲げ可能とすることにより、カレンダー用紙２に複数の月が表示できるので、カレンダー用紙２が少なくて済む。
【実施例５】
【００３２】
図８に示すように、カレンダー用紙２を袋１の上から挿入して袋の表側面に表示月ページ９を支持する場合は、表示月ページが重力で垂れてめくれるおそれが少ないので、袋の表側面に表示月ページを押さえる保持部を形成しなくてもよい。
【符号の説明】
【００３３】
１：袋              ２：カレンダー用紙
３：貼着剥離層      ４：カレンダー用紙挿入口
５：強粘着糊層      ６：仕切シート
７：再剥離糊層      ８：剥離シート
９：表示月ページ  １０：接着剤層
１１：前月ページ    １２：壁
１３：ポケット      １４：バンド
【図１】
2012076405.tif 000003
【図２】
2012076405.tif 000004
【図３】
2012076405.tif 000005
【図４】
2012076405.tif 000006
【図５】
2012076405.tif 000007
【図６】
2012076405.tif 000008
【図７】
2012076405.tif 000009
【図８】
2012076405.tif 000010